(57)【要約】【課題】  作業性を向上することができるカレンダー及びカレンダー印刷方法を提供する。【解決手段】  カレンダー１の本体部２には、支持部材３，４が挿通されている。そして、この支持部材３，４をそれぞれ本体部２の両端に位置するように壁等に貼り付けることによって、カレンダー１の本体部２は、回転可能に取り付けられる。この状態からカレンダー１を回転させることによって、所望の暦の情報を表示することができる。【選択図】        図１
2005161551.tif 000002
【特許請求の範囲】
【請求項１】
帯状のメディアに、少なくとも１つの画像部と、少なくとも１つの日付部とからなる表示領域を複数備えたカレンダーであって、
前記カレンダーは、
前記表示領域を区画する区画手段と、
前記メディアの一方の端部と、同メディアの他方の端部とを接続し円環状に形成する接続手段とを備えたことを特徴とするカレンダー。
【請求項２】
請求項１に記載のカレンダーにおいて、
前記メディアは、前記画像部を同メディアから分離するための分離手段を備えていることを特徴とするカレンダー。
【請求項３】
請求項１又は２に記載のカレンダーにおいて、
前記カレンダーは、前記メディアを吊り下げる吊り下げ手段を備えていることを特徴とするカレンダー。
【請求項４】
請求項３に記載のカレンダーにおいて、
前記吊り下げ手段は、円環状に形成された前記メディアに挿通するように構成したことを特徴とするカレンダー。
【請求項５】
請求項１〜４のいずれか１つに記載のカレンダーにおいて、
前記接続手段は、前記メディアの少なくとも一方の端部に設けられたのりしろ部であることを特徴とするカレンダー。
【請求項６】
請求項１〜４のいずれか１つに記載のカレンダーにおいて、
前記接続手段は、前記メディアのいずれか一方の端部に形成した挿入口と、
同挿入口に挿入するように、同メディアの他端部に形成した挿入部から構成されることを特徴とするカレンダー。
【請求項７】
請求項１〜６のいずれか１つに記載のカレンダーを印刷するカレンダー印刷方法であって、
前記カレンダー印刷方法は、
画像データを記憶する第１の記憶手段と、
前記画像データに基づいて前記メディアに前記画像部を印刷する印刷手段と、
前記第１の記憶手段及び前記印刷手段を管理する管理コンピュータと
を含む印刷システムを用い、
前記管理コンピュータが、
ユーザの端末機から、前記画像データを入手し前記第１の記憶手段に記憶する第１の段階と、
前記第１の記憶手段に記憶した前記画像データに基づいて、前記印刷手段によって前記メディアに前記画像部を印刷する第２の段階と
を含むことを特徴とするカレンダー印刷方法。
【発明の詳細な説明】
【技術分野】
【０００１】
本発明は、カレンダー及びカレンダー印刷方法に関する。
【背景技術】
【０００２】
従来、カレンダーでは、１年の暦が各月毎に分けて印刷され１２枚綴られている年カレンダーが広く知られている。一般に、年カレンダーでは、その月の日付及びその月毎に対応するような風景、絵画等の画像が印刷されている。そして、この年カレンダーでは、月が終了するたびに捲られることによって、次の月の日付及び画像を表示するようになっていた。
【０００３】
この種のカレンダーには、ユーザの好みに応じてその日付及び画像を変更可能となるように構成されたものが種々提案されている（例えば、特許文献１。）。
特許文献１に記載のカレンダーは、額縁状の枠体と、日付等のデート情報が長尺状に連続して印刷されたデート情報印刷物と、絵画等が長尺状に連続して印刷された装飾印刷物とを備えている。このデート情報印刷物及び装飾印刷物は、その両端部をそれぞれ軸部材にロール状に巻回されていた。そして、これら軸部材を枠体に軸支させることによって、デート情報印刷物及び装飾印刷物が枠体の額縁開口から臨み、デート情報印刷物及び絵画等を表示するようになっていた。そして、この表示を変更する際には、枠体から軸部材を外し、デート情報印刷物及び装飾印刷物を、上述した軸部材に順次巻回させ送ることによって、ユーザの好みに応じた表示を変更することができるようになっていた。
【特許文献１】特開平９−８１０３７号公報
【発明の開示】
【発明が解決しようとする課題】
【０００４】
しかしながら、特許文献１に記載のカレンダーでは、デート情報印刷物、装飾印刷物の他に、額縁状の枠体と、軸部材から構成されているので、部品点数が多くその製造コストが高くなっていた。また、デート情報印刷部及び装飾印刷物を交換する際には、上述した枠体から軸部材を外すことによって行われていた。このため、作業性が悪く、ユーザが好みの画像を適宜に表示させることが困難であった。
【０００５】
また、通常、カレンダーでは、使用が終わると破棄されるので、その印刷された画像がユーザの好みであったとしても、破棄される場合が多かった。
本発明は、上記問題点を解消するためになされたものであって、その目的は、作業性を向上することができるカレンダー及びカレンダー印刷方法を提供することにある。
【課題を解決するための手段】
【０００６】
本発明のカレンダーは、帯状のメディアに、少なくとも１つの画像部と、少なくとも１つの日付部とからなる表示領域を複数備えたカレンダーであって、前記カレンダーは、前記表示領域を区画する区画手段と、前記メディアの一方の端部と、同メディアの他方の端部とを接続し円環状に形成する接続手段とを備えた。
【０００７】
これによれば、カレンダーは、画像部と日付部を備えたメディアを接続手段によって円環状に接続することで形成される。従って、例えば、２枚のメディアを、その互いの端部を接続することによって、月や年の異なるカレンダーを形成することができる。
【０００８】
このカレンダーは、前記メディアは、前記画像部を同メディアから分離するための分離手段を備えてもよい。
これによれば、画像部はメディアから分離することができる。従って、このメディアから形成されるカレンダーでは、その画像部を分離することができる。このように構成することによって、例えば、カレンダーから適宜、画像部を分離し、分離した画像部を保存することができる。
【０００９】
このカレンダーは、前記カレンダーは、前記メディアを吊り下げる吊り下げ手段を備えてもよい。
これによれば、カレンダーは、この吊り下げ手段によって壁等に吊り下げることができるようになっている。
【００１０】
このカレンダーは、前記吊り下げ手段は、円環状に形成された前記メディアに挿通するように構成してもよい。
これによれば、吊り下げ手段は、円環状に形成されたメディアに挿通し、挿通することによって、このメディアを支持する。従って、カレンダーが、壁等に吊り下げ手段によって吊り下げられた状態では、円環状に形成されたメディアが回転可能に支持される。この状態において、メディアを回転することによって、カレンダーでは所望の表示領域を表示させることができる。
【００１１】
このカレンダーは、前記接続手段は、前記メディアの少なくとも一方の端部に設けられたのりしろ部でもよい。
これによれば、メディアののりしろ部を接着剤等によって貼り付けることによって、カレンダーを形成することができる。従って、例えば、２枚のメディアからカレンダーを形成する場合では、メディアのそれぞれののりしろ部を、互に貼り付けることによってカレンダーを形成することができる。
【００１２】
このカレンダーは、前記接続手段は、前記メディアのいずれか一方の端部に形成した挿入口と、同挿入口に挿入するように、同メディアの他端部に形成した挿入部から構成してもよい。
【００１３】
これによれば、メディアの挿入口に挿入部を挿入することによってカレンダーを形成することができる。従って、例えば、２枚のメディアからカレンダーを形成する場合では、メディアのそれぞれの挿入部を、互いの挿入口に挿入することによってカレンダーを形成することができる。
【００１４】
本発明のカレンダー印刷方法は、上記記載のカレンダーを印刷するカレンダー印刷方法であって、画像データを記憶する第１の記憶手段と、前記画像データに基づいて前記メディアに前記画像部を印刷する印刷手段と、前記第１の記憶手段及び前記印刷手段を管理する管理コンピュータとを含む印刷システムを用い、前記管理コンピュータが、ユーザの端末機から、前記画像データを入手し前記第１の記憶手段に記憶する第１の段階と、前記第１の記憶手段に記憶した前記画像データに基づいて、前記印刷手段によって前記メディアに前記画像部を印刷する第２の段階とを含む。
【００１５】
これによれば、管理コンピュータは、例えば、ユーザからネットワーク等を介して入手した画像データをメディアに画像部として印刷することができる。従って、この印刷手段を大型印刷が可能なように構成した場合、大型（Ａ２サイズ等）のメディアに画像部を印刷することができる。
【発明を実施するための最良の形態】
【００１６】
以下、本発明を具体化した第１実施形態を図１〜図７に従って説明する。
図１は、本実施形態のカレンダーの概略を説明するための斜視図である。図２は、同カ
レンダーの構成を説明するための部分拡大図である。
【００１７】
図１に示すように、カレンダー１は、本体部２と、支持部材３，４を備えている。本体部２は、帯状でありかつ円環状に形成されていて、さらに、環状に形成された支持部材３，４が挿通されている。この支持部材３，４は、本体部２を壁等に取着するものであって、カレンダー１を壁に取り付けた状態では、同本体部２の両端（上下）に位置し、同本体部２の面２ａが一定方向（外側）を向くように、同本体部２を回転可能に支持するようになっている。即ち、カレンダー１を壁等に取り付けた状態において、本体部２を移動させると、同本体部２は、支持部材３，４に支持されながら、その面２ａを外側に向けながら回転するようになっている。また、このときカレンダー１は支持部材３に吊り下がっている状態となる。
【００１８】
そして、図１及び図２に示すように、カレンダー１の本体部２の面２ａには、同面２ａを６つに区画するように６つの表示部５が形成されている。各表示部５は、１年の暦のうち、それぞれ２ヶ月毎の情報を表示するものであって、１ヵ月分の日付をそれぞれ表示する月情報部６ａ，６ｂ、同月情報部６ａ，６ｂに対応した画像７を備えている。従って、例えば、図２に示すように、表示部５の月情報部６ａ，６ｂは、それぞれ、３月、４月の情報を示し、さらに、画像７は、３月及び４月に対応する画像を表示するようになっている。
【００１９】
即ち、カレンダー１は、１月及び２月、３月及び４月、５月及び６月、７月及び８月、９月及び１０月、１１月及び１２月の情報（日付及び画像）をそれぞれ示す表示部５を備えている。そして、カレンダー１を壁等に取り付けた状態から、本体部２を移動して回転させることによって、１年のうちを表示させたい暦の情報（日付及び画像）を表示できるようになっている。
【００２０】
次に上記したカレンダー１の本体部２の構成について図３〜図５に従って説明する。図３及び図４は、本実施形態のメディアの構成を説明するための平面図である。図５は、同メディアの構成を説明するための部分拡大図である。
【００２１】
前記カレンダー１の本体部２は、図３に示す帯状に形成されたメディア８を、円環状を形成するように２枚張り合わせることによって構成されている。
このメディア８は、例えば、紙等であって、図３及び図４に示すように、印刷面９及び非印刷面１０を備えている。この印刷面９には、前記月情報部６ａ，６ｂをそれぞれ印刷するための印刷領域１１ａ，１１ｂと、前記画像７を印刷するための印刷領域１２がそれぞれ６つずつ設けられている。そして、この印刷面９には、印刷領域１１ａ，１１ｂ及び印刷領域１２を一組とする区画を３組形成するように区画線１３ａ〜１６ａが設けられている。そして、非印刷面１０には、この各区画線１３ａ〜１６ａと対応するようにミシン目１３ｂ〜１６ｂが設けられている。
【００２２】
このように構成することによって、メディア８では、このミシン目１３ｂ〜１６ｂに沿って、同メディア８を折る（非印刷面１０から見て谷折り）ことによって、前記表示部５が３つと、同メディア８の両端部にのりつけ部１７，１８が形成されるようになっている。つまり、このメディア８には、半年分の暦の情報（日付及び画像）を印刷することができるようになっている。そして、図５に示すように、２枚のメディア８ののりつけ部１７，１８を互いに接着剤等によって貼り付けて円環状に形成することによって、図１に示す前記本体部２を形成するようになっている。また、この本体部２は、各ミシン目１３ｂ〜１６ｂに従って各表示部５を切り離し、それぞれ分離させることができるようになっている。
【００２３】
一方、この非印刷面１０には、印刷面９に設けられた印刷領域１２と対向する位置に、ミシン目１９が設けられていて、さらにミシン目１９によって区画される区画領域２０には、目印２１が印刷されている。この目印２１は、区画領域２０に穴を開ける際に目印の役目をするようになっている。即ち、非印刷面１０に設けられたミシン目１９に沿って、区画領域２０を切り離すことによって、印刷領域１２を分離することができる。従って、前記カレンダー１の本体部２から画像７を分離させることができるようになっている。このとき、区画領域２０は、印刷領域１２の裏面を構成するので、同区画領域２０に目印２１に従って穴部（図示しない）を開けることによって、印刷領域１２に穴部を貫通形成することができるようになっている。即ち、カレンダー１から画像７を切り取った後、この穴部をバインダー等に綴じることによって同画像７を保存できるようになっている。
【００２４】
次に、上記のように構成したメディア８からカレンダー１を形成する形成方法及び同カレンダー１の使用方法について説明する。カレンダー１を形成する際には、前記支持部材３，４及びメディア８を用意する。このとき、このメディア８には、予め印刷領域１１ａ，１１ｂ，１２にそれぞれ、月情報部６ａ，６ｂ及び画像７が印刷されている。そして、上述したように、２枚のメディア８を、それぞれ前記ミシン目１３ｂ〜１６ｂに沿って折る（非印刷面１０から見て谷折り）ことによって、各表示部５及びのりつけ部１７，１８を形成する。そして、この状態から、前記支持部材３，４にそれぞれメディア８を挿入し、互いののりつけ部１７（印刷面９）側をのりつけ部１８（非印刷面１０側）に貼り付ける。これによって、２枚のメディア８は、互いにその両端部が貼り付けられて円環状の前記本体部２を形成する。このとき、上述したように本体部２には、支持部材３，４が挿通されている。そして、この支持部材３，４をそれぞれ前記本体部２の両端に位置するように壁等に貼り付けることによって、カレンダー１の本体部２を回転可能に取り付けることができ、さらに、同カレンダー１を回転させることによって、所望の暦の情報を表示することができる。
【００２５】
また、このカレンダー１では、上述したようにミシン目１３ｂ〜１６ｂに沿って各表示部５を切り取って分離することができる。従って、例えば、ミシン目１３ｂ，１６ｂに従って、同ミシン目１３ｂ，１６ｂに隣接する表示部５を切り取ると、表示部５を３つ連ねた状態で分離することができる。つまり、このカレンダー１では、使い終わった古い半年分の表示部５を分離することができる。このとき、残りの半年分のカレンダー１（メディア８）には、そののりつけ部１７，１８にそれぞれ、分離した半年分のカレンダー１（メディア８）のりつけ部１７，１８が貼りついて残っている状態となっている。
【００２６】
そして、古い半年分の表示部５を分離した状態から、新しい半年分の暦の情報が印刷されたメディア８を貼り付けることによって、新しい半年分の暦の情報を表示できるカレンダー１を形成することができる。
【００２７】
また、分離した古い半年分の表示部５の画像７を、ミシン目１９に沿って切り離し目印２１に従って穴部を設けることによって、上述したようにバインダー等に綴じて保存することができる。従って、印刷領域１２に画像７として、例えば、子供の各月毎に撮影した写真を印刷した場合には、この画像７を綴じることによって子供の成長記録を示したアルバムを作ることができる。
【００２８】
次に、上記のように構成されたメディア８に月情報部６ａ及び画像７を印刷するカレンダー印刷方法について図６及び図７に従って説明する。図６は、本実施形態のカレンダー印刷方法を説明するためのブロック図である。図７は、同カレンダー印刷方法におけるメニュー画面を示す正面図である。
【００２９】
図６に示すように、プリントセンタ３０は、ネットワークＮを介して、ユーザ３１の端
末機３２に接続可能となるように構成されている。本実施形態のプリントセンタ３０は、後述するが、ユーザ３１の送信する画像データを、プリンタＰによって前記メディア８に印刷するものである。
【００３０】
ユーザ３１は、プリントセンタ３０にメディア８の印刷を依頼する顧客である。このユーザ３１は、上述したように、端末機３２を備えている。この端末機３２は、図示しないＣＰＵ，ＲＯＭ，ＲＡＭを備え、さらにネットワークＮに接続するモデム等の通信手段を備えている。加えて、この端末機３２は、ディスプレイ３３を有する表示部３４と、ディスプレイ３３の表示に従って、各種操作を行うための操作ボタン等の操作部３５、及び撮像手段と接続可能な図示しない外部インターフェイスを備えている。この端末機３２は、例えば、パーソナルコンピュータ等であって、図６に示すように撮像手段としてデジタルカメラＣと接続され、同デジタルカメラＣと画像データの送受信が可能となるように構成されている。
【００３１】
このように構成することによって、端末機３２は、デジタルカメラＣによって撮像された画像を画像データとして、抽出することができ、さらに、この画像データを、ネットワークＮを介してプリントセンタ３０に送信することができるようになっている。
【００３２】
前記プリントセンタ３０は、管理コンピュータ３６と、ユーザ情報記憶部３７及びプリンタＰを備えている。
この管理コンピュータ３６は、ユーザ情報記憶部３７及びプリンタＰを管理するためのものである。この管理コンピュータ３６は、図示しないＣＰＵ，ＲＯＭ，ＲＡＭ、及びネットワークＮに接続するモデム等の通信手段を備え、さらに、図示しない記憶部に、ユーザ情報記憶部３７及びプリンタＰを制御する制御プログラム、上述した画像データに基づく印刷を支援する印刷支援プログラムを格納している。この管理コンピュータ３６は、ユーザ３１の端末機３２にネットワークＮを介して接続し、同端末機３２のディスプレイ３３に、印刷支援プログラムに基づいて、後述するメニュー画面Ｍ（図７参照）を表示するようになっている。これによって、プリントセンタ３０は、ユーザ３１の端末機３２に接続し画像データの受信が可能となるように構成されている。
【００３３】
ユーザ情報記憶部３７は、ユーザ３１の識別情報（名前、住所、認識番号等）、ユーザ３１から送信される画像データ、及びユーザの指定する印刷情報を記憶するためのものであって、管理コンピュータ３６に接続されている。このユーザ３１の識別情報は、予めユーザ情報記憶部３７に記憶されている。
【００３４】
プリンタＰは、ユーザ情報記憶部３７に記憶されている画像データ（ユーザの送信する画像）を前記メディア８に印刷するためのものであって、管理コンピュータ３６に接続されている。
【００３５】
即ち、管理コンピュータ３６は、ネットワークＮを介してユーザ３１の端末機３２から画像データが送信されると、第１の段階として、この画像データをユーザ情報記憶部３７に記憶する。そして、管理コンピュータ３６は、第２の段階として、画像データを画像７としてプリンタＰにメディア８に向けて印刷させ、さらに月情報部６ａ，６ｂを印刷させるようになっている。
【００３６】
上記のように構成されたプリントセンタ３０に対して、ユーザ３１がネットワークＮを介してアクセスすると、管理コンピュータ３６は、ユーザ情報記憶部３７に記憶されている識別情報（名前、住所、認識番号等）に基づいて、ユーザ３１の認識を行う。そして認識が完了し整合すると、図７に示すように、メニュー画面Ｍをユーザ３１の端末機３２のディスプレイ３３に表示させるようになっている。
【００３７】
このメニュー画面Ｍは、ユーザ３１が、前記メディア８の印刷領域１２に印刷するための画像データを、デジタルカメラＣから読み込み、さらに、決定（送信）するための画面であって、アイコン３８〜４７及びウインド４８から構成されている。アイコン３８〜４７は、画像を読み込みたい月（１月〜１２月）を選択するアイコンである。図７に示す状態においては、アイコン３９が選択されていて、３月及び４月に対応する画像を決定するメニュー画面Ｍとなっている。アイコン４４は、デジタルカメラＣから画像データを読み込むためのアイコンであって、このアイコン４４が選択されると、読み込まれた画像データがウインド４８に表示されるようになっている。アイコン４５は、読み込まれた画像データをキャンセルするものであって、このアイコン４５が選択されると、図示しないが画像データは読み込みを中止され、ウインド４８から表示されないようになっている。アイコン４６は、読み込まれた画像データを、ネットワークＮを介して前記ユーザ情報記憶部３７に記憶させるためのアイコンである。従って、例えば、図７に示す状態では、ウインド４８に表示されている画像を、３月及び４月に対応する画像として上述した印刷条件をつけた後、ユーザ情報記憶部３７に画像データとして記憶するようになっている。アイコン４７は、メディア８の印刷を決定するためのアイコンであって、１年分の画像が、ユーザ情報記憶部３７に記憶された状態において選択可能となっている。
【００３８】
このように構成することによって、このアイコン４７が選択されると、管理コンピュータ３６は、上述したように、ユーザ情報記憶部３７に記憶された画像データを印刷条件に基づいて、メディア８の各印刷領域１２に画像７を印刷し、さらに、各印刷領域１１ａ，１１ｂにそれぞれ月情報部６ａ，６ｂを印刷する。
【００３９】
以上、上記した第１実施形態によれば、以下の効果を奏する。
（１）本実施形態のカレンダー１では、支持部材３，４をそれぞれ前記本体部２の両端に位置するように壁等に貼り付けることによって、同カレンダー１の本体部２を回転可能に取り付けることができる。このように構成することによって、ユーザは、カレンダー１を回転させることによって、所望の暦の情報を容易に表示することができる。また、支持部材３，４にて、本体部２を上下方向に引っ張ることで、前記ミシン目１３ｂ〜１６ｂに沿って本体部２が撓んでいてもこの撓みを解消し、安定して壁等に取り付けることができる。
（２）本実施形態のカレンダー１は、支持部材３，４及び２枚のメディア８から構成した。これによって、上述した従来のカレンダー（特許文献１）に比べて部材点数が少ないので、カレンダー１の製造コストを低減することができる。
（３）本実施形態のカレンダー１を構成するメディア８は、半年分の暦を表示できるように構成した。これによって、カレンダー１は、半年毎にメディア８を交換することによって、常に新しい暦を表示することができる。
（４）本実施形態のプリントセンタ３０の管理コンピュータ３６は、ユーザ３１からネットワークＮを介して送信された画像データ及び印刷条件をユーザ情報記憶部３７に記憶し、さらに、この記憶した画像データに基づいて、前記プリンタＰにて前記メディア８を印刷するように構成した。このように構成することによって、プリントセンタ３０の管理コンピュータ３６は、プリンタＰにユーザ３１の所望の画像を画像７としてメディア８に印刷することができる。また、このようにプリントセンタ３０にて印刷されたメディア８を、例えば、ユーザ３１に送付することによって、ユーザ３１は、家庭用プリンタで印刷できない大きさ（Ａ２サイズ等）のメディア８を随時手に入れることができ、さらに、このメディア８によって常に新しい暦を表示するカレンダー１を形成することができる。
（第２実施形態）
次に、本発明を具体化した第２実施形態について図８に従って説明する。図８は、第２実施形態のメディア８の構成を説明するための部分拡大図である。
【００４０】
本実施形態では、第１実施形態と比較して、メディア８の端部（接続箇所）の構成が異なる。本実施形態では、説明の便宜上、第１実施形態と差異のある箇所について説明し、同一の部分については、同一の符号を付して説明を省略する。
【００４１】
図８に示すように、メディア８の上端部には、取着部５０が２つ形成されている。この取着部５０は第１実施形態における前記のりつけ部１７に相当するものであって、メディア８の下端部の前記のりつけ部１８（区画線１６ａの付近）に貫通形成された２つの挿入口５１に、それぞれ挿入されるようになっている。詳述すると、取着部５０は、折りこみ片５０ａ及び挿しこみ片５０ｂから構成されている。この挿しこみ片５０ｂは、それぞれ前記表示部５に連続するように形成され、ミシン目５２に沿って折りこみ（図８においては山折り）可能となっている。そして、この挿しこみ片５０ｂには、それぞれ外側に折りこみ片５０ａが連続するように形成され、この折りこみ片５０ａは、それぞれミシン目５３に沿って内側に折りこみ（図８においては谷折り）可能となっている。
【００４２】
従って、前記取着部５０を前記挿入口５１に挿入する際には、前記折りこみ片５０ａをそれぞれ折りこんだ後、取着部５０を挿入口５１に挿入する。このとき、挿入された取着部５０の折りこみ片５０ａは、挿しこみ片５０ｂに対して、若干開くので、前記のりつけ部１８に対して当接し、同取着部５０が抜けないようになっている。
【００４３】
このように、構成することによって、２枚のメディア８からカレンダー１を形成する際に、第１実施形態と比較して、接着剤等によってのりつけ部１７，１８を貼り付けることがないので、容易に形成することができる。本実施形態では、取着部５０を挿入口５１に挿入するようになっているので、半年毎のカレンダー１（メディア８）の交換によって、第１実施形態のようにのりつけ部１７に、古いカレンダー１（メディア８）ののりつけ部１８が残ることが無いので、カレンダー１の美観を向上することができる。
（第３実施形態）
次に、本発明を具体化した第３実施形態について図９に従って説明する。図９は、第３実施形態のメディア８の構成を説明するための部分拡大図である。
【００４４】
本実施形態では、第１及び第２実施形態と比較して、メディア８の端部（接続箇所）の構成が異なる。本実施形態では、説明の便宜上、第１及び第２実施形態と差異のある箇所について説明し、同一の部分については、同一の符号を付して説明を省略する。
【００４５】
図９に示すように、メディア８の端部に位置する前記のりつけ部１７には、切り取り線６０及びミシン目６１，６２，６３が設けられている。
切り取り線６０は、のりつけ部１７の切り取り位置を示すものであって、この切り取り線６０に沿ってハサミ等によって切り取ると、のりつけ部１７には、切れ込みが入り、またミシン目６１，６２，６３に区画されることによって、挿しこみ片６４及び折りこみ片６５，６６がそれぞれ２つずつ形成されるようになっている。
【００４６】
この挿しこみ片６４は、ミシン目６１に沿って折りこみ（図９においては山折り）可能となっている。また、折りこみ片６５，６６は、それぞれミシン目６２，６３に沿って折りこみ（図９においては谷折り）可能となっている。
【００４７】
一方、前記のりつけ部１８（ミシン目１６の付近）には、切り取り線６７が設けられている。この切り取り線６７は、のりつけ部１８の切り取り位置を示すものであって、この切り取り線６７に沿ってハサミ等によって切り取ると、のりつけ部１８には、挿入口（図示しない）が形成されるようになっている。この挿入口は、第２実施形態における前記挿入口５１に相当するものである。従って、この挿入口に、２枚のメディア８の挿しこみ片６４及び折りこみ片６５，６６をミシン目６１〜６３に沿って折った状態で、互いに挿入
することによって、カレンダー１を形成できるようになっている。
【００４８】
このとき、挿入された折りこみ片６５，６６は、挿しこみ片６４に対して、若干開くので、前記のりつけ部１８に対して当接し抜けないようになっている。
このように、構成することによって、２枚のメディア８からカレンダー１を形成する際に、第１実施形態と比較して、接着剤等によってのりつけ部１７，１８を貼り付けることがないので、容易に形成することができる。本実施形態では、挿しこみ片６４を前記挿入口に挿入するようになっているので、半年毎のカレンダー１（メディア８）の交換によって、第１実施形態のようにのりつけ部１７に、古いカレンダー１（メディア８）ののりつけ部１８が残ることが無いので、カレンダー１の美観を向上することができる。また、第２実施形態と比較して、予めメディア８に取着部５０を形成しないので、このメディア８を製造する際には、その製造コストを低減することができる。
【００４９】
尚、発明の実施の形態は、上記各実施形態に限定されるものではなく、以下のように変更してもよい。
・上記実施形態では、カレンダー１を支持部材３，４によって、壁等に取り付け可能に構成したが、この限りではなく、同カレンダー１を机等の台上に立てるように構成してもよい。このとき、支持部材３，４及び前記印刷領域１１ａ，１１ｂ，１２の位置を適宜変更してもよい。
【００５０】
・上記実施形態では、メディア８の非印刷面１０にミシン目１３ｂ〜１６ｂ，１９及び目印２１を設けたが、この限りではなく、これに加えて非印刷面１０に、「山折り」、「切り取り」等をミシン目１３ｂ〜１６ｂ，１９及び目印２１の付近に表示してもよい。
【００５１】
・上記実施形態のカレンダー１では、メディア８を半年毎に交換できるように構成したが、この限りではなく、例えば、３ヶ月毎に交換できるように構成してもよい。このとき、カレンダー１及びメディア８の構成を適宜変更してもよい。
【００５２】
・上記実施形態のカレンダー１では、本体部２を両端（上下）にて支持し、壁等に取り付けられるように、支持部材３，４を構成したが、この限りではなく、例えば、支持部材４に替えてカレンダー１の下端部に錘を吊り下げてもよい。これによって、カレンダー１の本体部２が、撓んでいても上下に伸ばし壁等に取り付けることができる。
【図面の簡単な説明】
【００５３】
【図１】第１実施形態のカレンダーの概略を説明するための斜視図。
【図２】上記カレンダーの構成を説明するための部分拡大図。
【図３】第１実施形態のメディアの構成を説明するための平面図。
【図４】第１実施形態のメディアの構成を説明するための平面図。
【図５】第１実施形態のメディアの構成を説明するための部分拡大図。
【図６】第１実施形態のカレンダー印刷方法を説明するためのブロック図。
【図７】同カレンダー印刷方法におけるメニュー画面を示す正面図。
【図８】第２実施形態のメディアの構成を説明するための部分拡大図。
【図９】第３実施形態のメディアの構成を説明するための部分拡大図。
【符号の説明】
【００５４】
１…カレンダー、３…吊り下げ手段としての支持部材、５…表示領域としての表示部、６ａ，６ｂ…日付部としての月情報部、７…画像部としての画像、８…メディア、１３ａ〜１６ａ…区画手段としての区画線、１７，１８…接続手段としてののりつけ部、１９…分離手段としてのミシン目、３０…印刷システムを構成するプリントセンタ、３１…ユーザ、３２…端末機、３６…管理コンピュータ、３７…第１の記憶手段としてのユーザ情報
記憶部、５０…接続手段を構成する挿入部としての取着部、５１…接続手段を構成する挿入口、Ｐ…印刷手段としてのプリンタ。
【図１】
2005161551.tif 000003
【図２】
2005161551.tif 000004
【図３】
2005161551.tif 000005
【図４】
2005161551.tif 000006
【図５】
2005161551.tif 000007
【図６】
2005161551.tif 000008
【図７】
2005161551.tif 000009
【図８】
2005161551.tif 000010
【図９】
2005161551.tif 000011